(57)【要約】      （修正有）【課題】  閃光装置、レンズ等の各アクセサリ固有の色のバラツキを補正する。【解決手段】  被写体からの光を画像データに変換する撮像装置と撮像装置に接続して機能を追加する撮像装置用アクセサリと撮像装置と撮像装置用アクセサリ間で通信を行う通信手段とアクセサリ色情報調整手段と通信手段を介して得られる情報に基づいて画像データの補正を行う補正手段を有し、アクセサリ色情報調整手段の入力インタフェースによって、自分の好みの加減で色調整を可変設定することによって、閃光装置やレンズを用いた撮影画像の色味を反映させた画像にする。【選択図】  図１
2005109887.tif 000002
【特許請求の範囲】
【請求項１】
被写体からの光を画像データに変換する撮像手段を有する撮像装置と、
前記撮像装置に接続して前記撮像装置の機能を追加する撮像装置用アクセサリと、
前記撮像装置と前記撮像装置用アクセサリ間で通信を行なう通信手段と、
撮影者が撮像装置用アクセサリの色に関する情報を可変設定するアクセサリ色情報調整手段と、
前記通信手段を介して得られる前記色に関する情報に基づいて前記画像データの補正を行なう補正手段と、
を有することを特徴とする撮像システム。
【請求項２】
前記アクセサリ色情報調整手段の設定に応じて、前記撮像装置用アクセサリ固有の色に関する情報に対する補正値を求める演算手段と、
前記通信手段は、少なくとも前記撮像装置用アクセサリの色に関する情報を通信し、
前記補正手段は、前記撮像装置用アクセサリ固有の色に関する情報と前記補正値に基づいて前記画像データの補正を行なう
ことを特徴とする請求項１の撮像システム。
【請求項３】
前記色調整手段は、アンバー・ブルーの値を操作することによって可変調整することを特徴とする請求項１の撮像システム。
【請求項４】
前記色調整手段は、Ｒ、Ｇ、Ｂの各色の値を操作することによって可変調整することを特徴とする請求項１の撮像システム。
【請求項５】
前記撮像装置用アクセサリは閃光装置であることを特徴とする請求項１に記載の撮像システム。
【請求項６】
閃光装置の色に関する情報は、撮影時に照射する光の色温度情報であることを特徴とする請求項５に記載の撮像システム。
【請求項７】
前記撮像装置用アクセサリはレンズであることを特徴とする請求項１に記載の撮像システム。
【請求項８】
前記レンズの色に関する情報は、撮影時にカメラに透過する光の色情報であることを特徴とする請求項７に記載の撮像システム。
【請求項９】
前記撮像システムは、前記撮像装置と前記撮像装置用アクセサリと、さらに外部情報装置を有し、前記色情報調整手段は、前記撮像装置を介して前記外部情報装置で前記撮像装置用アクセサリの色情報を調整することを特徴とする請求項１の撮像システム。
【請求項１０】
前記色情報調整手段によって可変設定する場合に、前記色情報の設定状態を表示することによって確認する確認手段を有することを特徴とする請求項１の撮像システム。
【請求項１１】
撮影者が前記撮像装置用アクセサリ固有の色に対して補正をする補正情報を撮像装置側で設定するアクセサリ色補正情報補正手段を有し、
前記撮像装置用アクセサリから前記通信手段によって通信された前記色に関する情報と、撮像装置側で設定された色補正情報を選択する、選択手段を有する請求項１に記載の撮像システム。
【請求項１２】
前記選択手段は、前記撮像装置用アクセサリから通信された色に関する情報に対する補正が無い場合は、撮像装置側で設定された色補正情報を選択し、
前記撮像装置用アクセサリから通信された色に関する情報に対する補正がある場合は、撮像装置用アクセサリから通信された色に関する情報を選択することを特徴とする請求項１１に記載の撮像システム。
【請求項１３】
前記選択手段は、撮像装置側で設定された色補正情報が補正無しの場合は、撮像装置用アクセサリから通信された色補正情報を選択し、カメラ側で設定した色補正情報が補正ありの場合は、撮像装置側で設定した色補正情報を選択することを特徴とする請求項１１の撮像システム。
【請求項１４】
被写体からの光を画像データに変換する撮像手段を有する撮像装置と、
前記撮像装置に接続して前記撮像装置の機能を追加する撮像装置用アクセサリと、
前記撮像装置と前記撮像装置用アクセサリ間で通信を行なう通信手段と、
撮影者が前記撮像装置用アクセサリの色に関する情報を可変設定するアクセサリ色情報調整手段と、
前記通信手段を介して得られる前記色に関する情報に基づいて前記画像データの補正を行なう補正手段と、
を有する撮像システムに用いられる撮像装置用アクセサリにおいて、
前記撮像装置用アクセサリは、
前記撮像装置用アクセサリの色に関する情報を設定するアクセサリ色情報調整手段と、
前記撮像装置に前記アクセサリ色情報調整手段で設定された色に関する情報を送信する通信手段と、
を有することを特徴とする撮像装置用アクセサリ。
【請求項１５】
撮影者が前記撮像装置用アクセサリ固有の色に対して補正をする補正情報を撮像装置側で設定するアクセサリ色補正情報補正手段を有し、
前記通信手段は、前記アクセサリ固有の色情報と前記色補正情報を組み合わせた情報を通信することを特徴とする請求項１４に記載の撮像装置用アクセサリ。
【請求項１６】
被写体からの光を画像データに変換する撮像手段を有する撮像装置と、
前記撮像装置に接続して前記撮像装置の機能を追加する撮像装置用アクセサリと、
前記撮像装置と前記撮像装置用アクセサリ間で通信を行なう通信手段と、
撮影者が前記撮像装置用アクセサリの色に関する情報を可変設定するアクセサリ色情報調整手段と、
前記通信手段を介して得られる前記色に関する情報に基づいて前記画像データの補正を行なう補正手段と、
を有する撮像システムに用いられる撮像装置において、
前記撮像装置は、
前記撮像装置は前記撮像装置用アクセサリから前記アクセサリ色情報調整手段によって可変設定された前記色に関する情報を受信する通信手段と、
を有することを特徴とする撮像装置。
【請求項１７】
被写体からの光を画像データに変換する撮像手段を有する撮像装置と、
前記撮像装置に接続して前記撮像装置の機能を追加する撮像装置用アクセサリと、
前記撮像装置と前記撮像装置用アクセサリ間で通信を行なう通信手段と、
撮影者が前記撮像装置用アクセサリの色に関する情報を可変設定するアクセサリ色情報調整手段と、
前記通信手段を介して得られる前記色に関する情報に基づいて前記画像データの補正を行なう補正手段と、
を有する撮像システムに用いられる撮像装置において、
前記撮像装置は、
前記撮像装置用アクセサリの色に関する情報を設定するアクセサリ色情報調整手段と、
前記撮像装置は前記撮像装置用アクセサリへ前記色に関する情報を送信する通信手段と、
を有することを特徴とする撮像装置。
【発明の詳細な説明】
【技術分野】
【０００１】
本発明は閃光装置、レンズ、カメラ、ディジタルカメラ、及びスチル機能をもったビデオカメラの色情報に関するものである。
【背景技術】
【０００２】
電子スチルカメラシステムにおいて、複数種のストロボ装置が使用可能な場合に、使用するストロボ装置が保持している色温度情報をカメラ側に通信し、カメラ側でストロボ発光時のホワイトバランス補正を行なっていた。また、ストロボの発光開始から停止までの時間に対応して、ストロボ色温度設定回路の出力を補正するものであった（例えば、特許文献１参照）。
【特許文献１】特開平０２−８５８３４号公報
【発明の開示】
【発明が解決しようとする課題】
【０００３】
しかしながら、従来例ではストロボ装置の色温度に対する補正情報は固定しているため、撮影者の好みによる色情報の調整が不可能であった。また、撮像装置側、撮像画面から得られる色温度情報を上述のようにストロボ装置の固定の補正情報で撮影画像を予め決められたホワイトバランス処理（オートホワイトバランス処理）をしているものであり、閃光装置、レンズ等の各アクセサリの色情報に対して個々に調整することは不可能であった。従って、閃光装置やレンズの色特性に関する個々の補正や、撮影者の好みを反映させた撮影を行なうことが出来ないという問題があった。
【０００４】
本発明は前記課題を鑑み、閃光装置やレンズから出力される閃光装置やレンズの色特性に応じた色情報に対して撮影者が可変に補正を加えることにより、閃光装置やレンズの色情報のみを調整し、ホワイトバランス処理に反映さることが可能な閃光装置やレンズ等のカメラアクセサリとカメラシステムを提供することを目的とする。
【課題を解決するための手段】
【０００５】
本発明は前述の課題を解決する為に、請求項１の撮像システムは、
被写体からの光を画像データに変換する撮像手段を有する撮像装置と、
前記撮像装置に接続して前記撮像装置の機能を追加する撮像装置用アクセサリと、
前記撮像装置と前記撮像装置用アクセサリ間で通信を行なう通信手段と、
撮影者が撮像装置用アクセサリの色に関する情報を可変設定するアクセサリ色情報調整手段と、
前記通信手段を介して得られる前記色に関する情報に基づいて前記画像データの補正を行なう補正手段と、
を有することを特徴とする。これにより、色に関する撮影者の嗜好や、アクセサリ固有の補正をきめ細かく設定して撮影画像に反映することが可能となる。
【０００６】
請求項１４の撮像装置用アクセサリは、
被写体からの光を画像データに変換する撮像手段を有する撮像装置と、
前記撮像装置に接続して前記撮像装置の機能を追加する撮像装置用アクセサリと、
前記撮像装置と前記撮像装置用アクセサリ間で通信を行なう通信手段と、
撮影者が前記撮像装置用アクセサリの色に関する情報を可変設定するアクセサリ色情報調整手段と、
前記通信手段を介して得られる前記色に関する情報に基づいて前記画像データの補正を行なう補正手段と、
を有する撮像システムに用いられる撮像装置用アクセサリにおいて、
前記撮像装置用アクセサリは、
前記撮像装置用アクセサリの色に関する情報を設定するアクセサリ色情報調整手段と、
前記撮像装置に前記アクセサリ色情報調整手段で設定された色に関する情報を送信する通信手段と、
を有することを特徴とする。
【０００７】
また、請求項１６の撮像装置は、被写体からの光を画像データに変換する撮像手段を有する撮像装置と、
前記撮像装置に接続して前記撮像装置の機能を追加する撮像装置用アクセサリと、
前記撮像装置と前記撮像装置用アクセサリ間で通信を行なう通信手段と、
撮影者が前記撮像装置用アクセサリの色に関する情報を可変設定するアクセサリ色情報調整手段と、
前記通信手段を介して得られる前記色に関する情報に基づいて前記画像データの補正を行なう補正手段と、
を有する撮像システムに用いられる撮像装置において、
前記撮像装置は、
前記撮像装置は前記撮像装置用アクセサリから前記アクセサリ色情報調整手段によって可変設定された前記色に関する情報を受信する通信手段と、
を有することを特徴とする。
【０００８】
また、請求項１７以上の発明により、色に関する撮影者の嗜好や、アクセサリ個別の補正をきめ細かく設定して撮影画像に反映することが可能となる。
【０００９】
また、請求項１７の撮像装置は、被写体からの光を画像データに変換する撮像手段を有する撮像装置と、
前記撮像装置に接続して前記撮像装置の機能を追加する撮像装置用アクセサリと、
前記撮像装置と前記撮像装置用アクセサリ間で通信を行なう通信手段と、
撮影者が前記撮像装置用アクセサリの色に関する情報を可変設定するアクセサリ色情報調整手段と、
前記通信手段を介して得られる前記色に関する情報に基づいて前記画像データの補正を行なう補正手段と、
を有する撮像システムに用いられる撮像装置において、
前記撮像装置は、
前記撮像装置用アクセサリの色に関する情報を設定するアクセサリ色情報調整手段と、
前記撮像装置は前記撮像装置用アクセサリへ前記色に関する情報を送信する通信手段と、
を有することを特徴とする。
【発明の効果】
【００１０】
本願の発明によれば、閃光装置やレンズ等のカメラアクセサリ固有の色情報を撮影者が自由に可変調整することにより、撮影者の嗜好を反映した画像を得ることが可能となる。また、各アクセサリの色味に関する固体ばらつき、アクセサリとカメラの組み合わせによる色のばらつきを吸収することが可能となる。
【発明を実施するための最良の形態】
【００１１】
（第１の実施の形態）
図１は本発明の第１の実施の形態である、デジタルカメラ、レンズ、閃光装置の構成を表すブロック図である。構成と動作の詳細を以下に記述する。
【００１２】
実線の四角枠１００はディジタルカメラ本体、点線の四角枠２００はレンズを、点線の四角枠３００は閃光装置を表している。
【００１３】
カメラ１００内の構成について説明する。
【００１４】
１０１はディジタルカメラ１００の各部を制御するマイクロコンピュータ（以下カメラマイコン）であり、１０２は赤外カットフィルタ、ローパスフィルタ等を含むＣＣＤ、ＣＭＯＳ等の撮像素子であり後述のレンズ２０２により被写体が結像され撮影される、１０３は撮像素子１０２の信号をＡＤ変換するＡＤ変換回路で、１０４は撮像素子１０２とＡＤ変換回路１０３の駆動タイミングを発生するタイミングジェネレータ（ＴＧ）であり、１０５はＡＤ変換回路１０３でディジタル信号とした画像データを画像処理パラメータにしたがって画像処理を行なうディジタル信号処理回路である。記憶メモリ等の回路は本発明においても既知の回路と同じ為、図示、説明は省略する。
【００１５】
１３０は閃光装置３００とのインターフェースであり、発光開始信号であるＸ端子、ＧＮＤ、後述の閃光装置マイコン３１３との通信クロックであるＳＣＬＫ＿Ｓ端子、ＳＣＬＫ＿Ｓ端子に同期してカメラマイコン１０１から閃光装置マイコン３１３にデータを送信するＭＯＳＩ＿Ｓ端子、ＳＣＬＫ＿Ｓ端子に同期して閃光装置マイコン３１３からカメラマイコン１０１にデータを送信するＭＩＳＯ＿Ｓ端子で構成され、カメラマイコン１０１と閃光装置マイコン３１３間で通信を可能にしている。
【００１６】
１２０はレンズ２００とのインタフェースであり、ＧＮＤ、後述のレンズマイコン２０１との通信クロックであるＳＣＬＫ＿Ｌ端子、ＳＣＬＫ＿Ｌ端子に同期してカメラマイコン１０１からレンズマイコン２０１にデータを送信するＭＯＳＩ＿Ｌ端子、ＳＣＬＫ＿Ｌ端子に同期してレンズマイコン２０１からカメラマイコン１０１にデータを送信するＭＩＳＯ＿Ｌ端子で構成され、カメラマイコン１０１とレンズマイコン２０１間で通信を可能にしている。
【００１７】
次に、レンズ２００内の構成と動作について説明する。
【００１８】
２０１はレンズ各部の動作を制御するレンズマイコンであり、２０２は複数枚で構成されたレンズで、２０３はレンズ２０２内の焦点位置合わせ用の光学系を移動させるレンズ駆動モータで、レンズの駆動量は不図示のカメラ１００内にある既知の自動焦点検出回路の出力をカメラマイコン１０１内で演算により求められる。求められた駆動量はカメラマイコン１０１からレンズマイコン２０１に通信され、通信された駆動量分だけレンズマイコン２０１はレンズ駆動モータ２０３を動作させる。
【００１９】
２０４はレンズ２０２の焦点位置を検出するエンコーダであり、２０５は絞りで、絞り制御回路２０６により制御される。
【００２０】
またレンズ２０２の焦点距離は単焦点のものであっても可変であっても構わない。
【００２１】
次に、本実施例で用いられる閃光装置３００の構成について説明する。
【００２２】
３１３は閃光装置各部の動作を制御する閃光装置マイコンで、３０１は電源である電池、３０２は電池３０１の電圧を数百ｖに昇圧する昇圧回路、３０３昇圧回路３０３の出力を充電するコンデンサ、３０４、３０５はコンデンサ３０３に充電された電圧を分圧する抵抗で、分圧点は閃光装置マイコン３１３のＡ／Ｄ変換端子ＭＣＶ＿ＡＤに接続される。
【００２３】
３０７はコンデンサ３０３に充電されたエネルギーを光に変換し、被写体に照射する放電管、３０６は放電管３０７の発光開始時に数ｋｖの電圧を印加させる既知のトリガ回路である。
【００２４】
３０８は放電管３０７の発光を開始、停止を制御する発光制御回路であり、発光時はコンデンサ３０３の高圧側−放電管３０７−発光制御回路３０８−コンデンサ３０３の低圧側（ＧＮＤ）の放電ループを形成する。
【００２５】
３０９、３１０は放電管３０７の発光量を受光するフォトダイオード等のセンサと該受光量を積分する積分回路であり、積分回路３０９の出力はコンパレータ３１２の反転入力と閃光装置マイコン３１３のＡ／Ｄコンバータ端子ＩＮＴ＿ＡＤ端子と接続されている。
【００２６】
コンパレータ３１２の非反転入力は閃光装置マイコン３１３内蔵のＤ／Ａコンバータ出力ＩＮＴ＿ＤＡＣ端子と接続され、コンパパレータ３１２の出力はＡＮＤゲート３１１と接続される。
【００２７】
ＡＮＤゲート３１１のもう一方の入力は閃光装置マイコンＦＬ＿ＳＴＡＲＴ端子と接続されて、ＡＮＤゲート３１１の出力は発光制御回路３０８と接続される。
【００２８】
３２０は閃光装置の色情報を撮影者が調整するための入力操作用インタフェースを含む、各種入力インタフェースであり、例えば、閃光装置の側面などにスイッチ状のように設置されている。３２１は閃光装置の前述色情報調整の結果を含む閃光装置の各状態を表示する表示モニタである。
【００２９】
次に、閃光装置の発光動作と色情報の取得について説明する。
【００３０】
閃光装置マイコン３１３はＣＨＧ＿ＯＮ端子をＨ（高電圧）とし昇圧回路３０２を動作させ、コンデンサ３０３を充電する。充電電圧はＭＣＶ＿ＡＤ端子によりＡ／Ｄ変換され閃光装置マイコン３１３に検出され（ＭＣＶ）、所定電圧以上となるまで充電は続けられる。
【００３１】
カメラマイコン１０１からの通信により設定された発光量、又は閃光装置の入力インタフェース３２０から入力された発光量が閃光装置マイコン３１３に設定されると、閃光装置マイコン３１３は設定された発光量に応じた電圧をＩＮＴ＿ＤＡＣ端子から出力する。カメラマイコン３１３よりＸ端子を介して発光開始信号が閃光装置マイコン３１３に入力されると閃光装置マイコン３１３はＦＬ＿ＳＴＡＲＴ端子にＨｉｇｈを出力、ＴＲＩＧ端子にＨｉｇｈを所定時間出力することにより放電管３０７が発光を開始する。同時にＩＮＴ＿ＳＴ端子をＨにして積分回路３０９の動作を開始する。
【００３２】
センサ３１０で受光した光を積分回路３０９が積分し、積分出力がＩＮＴ＿ＤＡ端子で設定した値より高くなるとコンパレータ３１２の出力はＨｉｇｈからＬｏｗ（低電圧）となり、Ｌｏｗ信号をＡＮＤゲート３１１介して発光制御回路３０８が受けると発光制御回路は放電ループを遮断し、放電を停止させる。
【００３３】
発光停止後閃光装置マイコン３１３はＩＮＴ＿ＡＤ端子により積分手段３０９の出力をＡ／Ｄ変換する事により放電管３０７の発光量（ＩＮＴ）を検出する。
【００３４】
発光終了後、閃光装置マイコン３１３は発光直前に検出した充電電圧（ＭＣＶ）と発光後に検出した発光量（ＩＮＴ）からマイコン内部の記憶メモリ又は不図示の外部記憶メモリに記憶された図２の様なグラフ又はテーブルを参照して発光時の色情報（ＤＡＴＡ＿ＣＴ）を取得する。たとえば３３０ｖで１／３２発光をした場合は５７００Ｋという色情報となる。
【００３５】
次に、本願発明の１実施形態である撮影者が閃光装置の色情報を調整する場合の調整方法について説明する。
【００３６】
図３Ａはカメラ表示３２１に表示された色情報の調整状態を示す表示である。該図においてＡはアンバー、Ｂはブルーを表し、３００１の複数のドットは色情報の調整度合いを表し、３００２のドットは現在設定されている色情報の調整度合いを表している。撮影者は閃光装置撮影時の撮影画像をアンバー側に調整したい場合は、入力インタフェース３２０を使用してドット３００２をＡ（アンバー）側に移動させ（図３Ｂ）、逆にブルー側に補正したい場合はＢ（ブルー）側に移動させる（図３Ｃ）。
【００３７】
このように撮影者が、入力インタフェース３２０のつまみを自分の好みの加減で移動させて設定することによって、閃光装置を用いた撮影画像の色味をアンバーまたはブルーがかった画像にすることが出来る。閃光装置で設定された色情報をカメラマイコン３１３への送信する場合について説明する。ここで、色情報とは、色温度としている。
【００３８】
図３Ａの状態はニュートラル状態であり前述の発光したときの色情報（ＤＡＴＡ＿ＣＴ）を補正しない。つまりＤＡＴＡ＿ＣＴが５７００Ｋであれば発光後にカメラマイコン３１３に送信される色情報（ＤＡＴＥ＿ＣＴ２）は５７００Ｋのままとなる。
【００３９】
図３Ｂの状態では、アンバー側に設定されておりこの場合はカメラマイコン３１３に送信される色情報（ＤＡＴＥ＿ＣＴ２）は例えば５８００ＫとＤＡＴＡ＿ＣＴより高くなり、ブルー寄りのデータとなる。
【００４０】
図３Ｃの状態では、ブルー側に設定されており、この場合はカメラマイコン３１３に送信される色情報（ＤＡＴＥ＿ＣＴ２）は例えば５５００Ｋとアンバー寄りのデータとなり、ＤＡＴＡ＿ＣＴより低くなる。
【００４１】
撮像素子１０２で撮影されＡＤ変換回路１０３でディジタルデータとされた撮影画像はディジタル信号回路１０５において既知の各種画像処理を行なう。ここでは、閃光装置撮影後の、上述のカメラマイコン３１３で行われる閃光装置において撮影者が設定した色調整を反映させたホワイトバランス処理について以下に説明する。
【００４２】
不図示のカメラのホワイトバランス設定入力スイッチによりホワイトバランスモードが閃光装置モードに設定されているならば、カメラマイコン１０１は前記撮像データのホワイトバランスを閃光装置との通信で取得したＤＡＴＡ＿ＣＴ２に合わせるよう画像データＲ、Ｇ，Ｂのゲインを調整する。
【００４３】
例えば、閃光装置の入力インタフェース３２０によって図３Ｂの様にアンバー側に補正されている状態では、閃光装置からの色情報ＤＡＴＡ＿ＣＴ２は実際の撮影時の発光の色特性よりブルー側のデータとなっている。この為ディジタル信号処理回路１０５では、例えば、Ｂのゲインを下げる、あるいはＢ以外のゲインを上げる等の処理によって、実際の閃光装置の発光よりブルー寄りの光で撮像画像の白部が白色となるようなホワイトバランス処理を行なう。つまり、設定されたホワイトバランスの状態よりアンバー側の閃光装置の発光により撮影された画像は、図３Ｂの設定の様にアンバー寄りの発色の画像に処理される。
【００４４】
同様に図３Ｃの状態に設定された場合も、設定の通りブルー寄りの発色の画像に処理される。
【００４５】
また、オートホワイトバランス等のミックス光モードにおいても閃光装置からの色情報ＤＡＴＡ＿ＣＴ２を色領域の範囲の基準として用いる方法や、オートホワイトバランスでのホワイトバランス設定と閃光装置からの色情報ＤＡＴＡ＿ＣＴ２間で調整したホワイトバランス設定とを、周囲光とストロボ光の割合で合成したホワイトバランスデータを求めてバランスをとる方法でも本発明の色情報調整の効果が達成可能である。
【００４６】
更に、閃光装置の放電管３０７に色の付いたフィルタを装着した場合は、フィルタの特性に合わせた位置に入力インタフェース３２０で色情報の調整を設定すればフィルタの特性を加味したホワイトバランスとすることが可能である。
【００４７】
なお、レンズの色情報を撮影者が調整した場合は、上述のように閃光装置で設定された色情報の取得と同様にホワイトバランス処理等に使用して反映させても良い。詳しくは、第３の実施形態について説明する。
【００４８】
レンズ２００や閃光装置は交換できる構成としてあるが、カメラに固定されていても構わないし、ディジタルカメラ１００はディジタルビデオであっても構わない。
【００４９】
（第２の実施の形態）
第２の実施の形態のおける、ディジタルカメラ、レンズ、閃光装置の構成は図１のブロック図と同じである。
【００５０】
第１の実施形態では、カメラに通信する色情報は色温度データであったが、第２の実施形態では、撮像素子の分光感度と閃光装置の分光特性を合成したデータをカメラに通信する色情報としている。閃光装置の発光動作と色情報の取得方法について以下に説明する。
【００５１】
カメラの不図示の赤外カットフィルタやローパスフィルタ等を含む撮像素子１０２の総合のＲ、Ｇ、Ｂ各色に対する分光感度（図４Ａ）と、第１の実施の形態同様に発光直前に検出したコンデンサ３０３の充電電圧（ＭＣＶ）と発光後に検出した発光量（ＩＮＴ）に対応した閃光装置が放射する分光特性（図４Ｂ）とを掛け合わせ（図４Ｃ）、この掛け合わせた結果から波長３８０ｎｍから７８０ｎｍまでを積分した値、
【００５２】
【数１】
2005109887.tif 000003
【００５３】
【数２】
2005109887.tif 000004
【００５４】
【数３】
2005109887.tif 000005
【００５５】
を演算、又はテーブルより参照し、色情報として閃光装置マイコン３１３からカメラマイコン１０１に送信する。
【００５６】
また、
【００５７】
【数４】
2005109887.tif 000006
【００５８】
【数５】
2005109887.tif 000007
【００５９】
を色情報としても構わない。
【００６０】
次に、閃光装置の色情報の調整について説明する。図５Ａに表示モニタ３２１で表示される、色情報の調整表示を表す。
【００６１】
第１の実施形態が閃光装置においてアンバー・ブルーの調整を行ったのに対して、第２の実施形態では、Ｒ，Ｇ，Ｂ各色に対して調整が可能である。また閃光装置からは、色温度ではなく、Ｒ、Ｇ、Ｂの色情報と、閃光装置の色調整結果に基づき、Ｒ、Ｇ、Ｂ各色に対して補正する補正値をカメラマイコン１０１に送信する。
【００６２】
図５Ａでは各色が０がニュートラル（補正０＝１．０倍）の状態を表している。そして入力用ユーザインタフェース３２０を使用し各色の＋．−の設定を入力する。
【００６３】
例えば図５Ｂでは撮影者が全体に赤みをおびさせる為に、Ｒのみ＋の補正がされている。（説明上Ｒを１．５倍に補正する設定とする。）そして、カメラに該色情報の各色補正値（Ｒ＿ＨＯＳＥＩ、Ｇ＿ＨＯＳＥＩ、Ｂ＿ＨＯＳＥＩ）をＲ，Ｇ，Ｂごとに閃光装置マイコン３１３からカメラマイコン１０１に送信する。
【００６４】
送信する各色補正値は、例えば、以下のとおりである。 
Ｒ＿ＨＯＳＥＩ＝１．５
Ｇ＿ＨＯＳＥＩ＝１．０
Ｂ＿ＨＯＳＥＩ＝１．０もちろん、Ｒ＿ＨＯＳＥＩとＢ＿ＨＯＳＥＩをＧ＿ＨＯＳＥＩで予め演算で割った値を用いて
Ｒ＿ＨＯＳＥＩ／Ｇ＿ＨＯＳＥＩ  ＝１．５
Ｂ＿ＨＯＳＥＩ／Ｇ＿ＨＯＳＥＩ  ＝１．０
として送信しても構わない。
【００６５】
次に、閃光装置マイコンから送信された補正値を用いた閃光装置撮影後のカメラマイコン３１３のホワイトバランス処理について説明する。
【００６６】
第２の実施形態においても、撮像素子１０２で撮影されＡＤ変換回路１０３でディジタルデータとされた撮影画像はディジタル信号回路１０５において既知の各種画像処理を行なう。
【００６７】
不図示のカメラの設定入力手段によりホワイトバランスが閃光装置モードに設定されているならば、カメラマイコン１０１は前記撮像データのホワイトバランスを閃光装置との通信で取得した色情報（Ｒ＿ＤＡＴＡ，Ｇ＿ＤＡＴＡ，Ｂ＿ＤＡＴＡ）と色補正値（Ｒ＿ＨＯＳＥＩ、Ｇ＿ＨＯＳＥＩ、Ｂ＿ＨＯＳＥＩ）より、画像データのホワイトバランスゲインを調整する。
【００６８】
つまり、
ホワイトバランスゲイン（Ｒ／Ｇ）
＝Ｒ＿ＤＡＴＡ＊Ｒ＿ＨＯＳＥＩ／Ｇ＿ＤＡＴＡ＊Ｇ＿ＨＯＳＥＩ
ホワイトバランスゲイン（Ｂ／Ｇ）
＝Ｂ＿ＤＡＴＡ＊Ｂ＿ＨＯＳＥＩ／Ｇ＿ＤＡＴＡ＊Ｇ＿ＨＯＳＥＩ
となる。
【００６９】
例えば閃光装置の入力用ユーザインタフェース３２０によって図５Ｂの様にＲのみＲ＿ＨＯＳＥＩ＝１．５（倍）Ｇ、Ｂは１．０倍に設定されている状態では、
ホワイトバランスゲイン（Ｒ／Ｇ）
＝Ｒ＿ＤＡＴＡ＊１．５／Ｇ＿ＤＡＴＡ＊１．０
ホワイトバランスゲイン（Ｂ／Ｇ）
＝Ｂ＿ＤＡＴＡ＊１．０／Ｇ＿ＤＡＴＡ＊１．０
としてディジタル信号処理回路１０５はホワイトバランスをとるので、赤の協調された画像となる。
【００７０】
なお、レンズ２００は交換できる構成としてあるが、カメラに固定されていても構わないし、ディジタルカメラ１００はディジタルビデオであっても構わない。
【００７１】
また、色情報と色情報の補正値を閃光装置マイコン３１３からカメラマイコン１０１に送信している構成を説明しているが、閃光装置の色情報はカメラ内に記憶してあり、撮影者が色調整として設定した色情報の補正値のみ送信する形式であっても構わない。
【００７２】
（第３の実施の形態）
第３の実施形態における、ディジタルカメラ、レンズ、閃光装置の構成は図１のブロック図と同じである。ここでは、レンズの色情報の調整方法について以下に説明する。
【００７３】
図６Ａ、３０Ｂ、３０Ｃはレンズの入力用インタフェース２０７のうち色情報の調整手段を表した図である。
【００７４】
６０１は色情報の調整用のつまみで、撮影者がアンバー寄り撮影画像のホワイトバランスを調整したい場合はＡの表示側に移動させ（図６Ｂ）、ブルー寄りにホワイトバランスを調整したい場合はＢの表示側に移動させる（図６Ｃ）。
【００７５】
（カメラマイコン３１３への送信情報）
次に前述のレンズの色情報の調整用つまみを動かしてレンズの色味を調整した場合のレンズマイコン２０１からカメラマイコン１０１へ送信する色情報の補正値の送信について説明する。
【００７６】
図６Ａの様に調整用のつまみが中央にあることをレンズマイコン２０１が検出すると、カメラのディジタル信号処理回路１０５が使用するホワイトバランスゲイン（Ｒ／Ｇ）に対する補正値（Ｌ＿Ｒ／Ｇ＿ＨＯＳＥＩ）、ホワイトバランスゲイン（Ｂ／Ｇ）に対する補正値（Ｌ＿Ｂ／Ｇ＿ＨＯＳＥＩ）をそれぞれ
Ｌ＿Ｒ／Ｇ＿ＨＯＳＥＩ＝１．０
Ｌ＿Ｂ／Ｇ＿ＨＯＳＥＩ＝１．０と送信し、
図６Ｂの様に調整用のつまみがＡ側に設定してあることをレンズマイコン２０１が検出すると、設定位置に応じて演算式、又はテーブルより
Ｌ＿Ｒ／Ｇ＿ＨＯＳＥＩ＝１．２
Ｌ＿Ｂ／Ｇ＿ＨＯＳＥＩ＝０．８
の様に算出してレンズマイコン２０１からカメラマイコン１０１に送信する。
【００７７】
（撮影後のカメラマイコン３１３のホワイトバランス処理）
第１、第２の実施形態同様に撮像素子１０２で撮影されＡＤ変換回路１０３でディジタルデータとされた撮影画像はディジタル信号回路１０５において既知の各種画像処理を行なう。ホワイトバランスについて以下に説明する。
【００７８】
ホワイトバランスが特定の光源に設定された場合、又は第１、第２の実施の様に閃光装置から送信された色情報によってホワイトバランスが設定された場合においては、
ホワイトバランスゲイン（Ｒ／Ｇ）
ホワイトバランスゲイン（Ｂ／Ｇ）
に対し、ホワイトバランスゲイン（Ｒ／Ｇ）＝ホワイトバランスゲイン（Ｒ／Ｇ）＊Ｌ＿Ｒ／Ｇ＿ＨＯＳＥＩホワイトバランスゲイン（Ｂ／Ｇ）＝ホワイトバランスゲイン（Ｂ／Ｇ）＊Ｌ＿Ｂ／Ｇ＿ＨＯＳＥＩとしてディジタル信号制御回路１０５でホワイトバランス処理を行なう。
【００７９】
これにより撮影者の嗜好に合わせた発色の画像の生成、レンズの種類や固体ごとに発生するの発色のバラツキの補正等が可能となる。
【００８０】
また、オートホワイトバランス調整においてもオートで設定された
ホワイトバランスゲイン（Ｒ／Ｇ）、
ホワイトバランスゲイン（Ｂ／Ｇ）、
に対し、
ホワイトバランスゲイン（Ｒ／Ｇ）＝ホワイトバランスゲイン（Ｒ／Ｇ）＊Ｌ＿Ｒ／Ｇ＿ＨＯＳＥＩ
ホワイトバランスゲイン（Ｂ／Ｇ）＝ホワイトバランスゲイン（Ｂ／Ｇ）＊Ｌ＿Ｂ／Ｇ＿ＨＯＳＥＩ
とすることで、レンズに色強調や補正用の着色されたフィルタ場合と同等の効果を撮影画像に反映させることが可能となる。
【００８１】
（第４の実施の形態）
第４の実施形態における、ディジタルカメラ、閃光装置の構成は図１のブロック図と同じであり、（閃光装置の発光動作と色情報の取得）、（閃光装置の色情報の調整）は第２の実施形態と同様である。
【００８２】
第２の実施形態との差異は、カメラの入力用ユーザインタフェース１５２においてカメラ側からも閃光装置の色情報の補正値を設定可能の点である。
【００８３】
（閃光装置撮影後のカメラマイコン３１３のホワイトバランス処理）において、第２の実施形態では閃光装置の通信から取得した色情報補正値（Ｒ＿ＨＯＳＥＩ、Ｇ＿ＨＯＳＥＩ、Ｂ＿ＨＯＳＥＩ）としているが、本実施形態では図７のフローチャートの処理をカメラマイコン１０１が行い、色情報補正値（Ｒ＿ＨＯＳＥＩ、Ｇ＿ＨＯＳＥＩ、Ｂ＿ＨＯＳＥＩ）を閃光装置の通信から取得した色情報補正値（Ｒ＿ＨＯＳＥＩ＿Ｓ、Ｇ＿ＨＯＳＥＩ＿Ｓ、Ｂ＿ＨＯＳＥＩ＿Ｓ）又はカメラの入力用ユーザインタフェース１５２により設定された色情報補正値（Ｒ＿ＨＯＳＥＩ＿Ｃ、Ｇ＿ＨＯＳＥＩ＿Ｃ、Ｂ＿ＨＯＳＥＩ＿Ｃ）のどちらを選択してホワイトバランス処理を行なうかを決定する。
【００８４】
以下図７Ａのフローを用いて説明を行なう。
【００８５】
ステップ（以下、Ｓと記載する。）７０００でスタート、Ｓ７００１では閃光装置から通信された色情報補正値（Ｒ＿ＨＯＳＥＩ＿Ｓ、Ｇ＿ＨＯＳＥＩ＿Ｓ、Ｂ＿ＨＯＳＥＩ＿Ｓ）がすべて０（Ｒ＿ＨＯＳＥＩ＿Ｓ＝１．０かつＧ＿ＨＯＳＥＩ＿Ｓ＝１．０かつＢ＿ＨＯＳＥＩ＿Ｓ＝１．０）であればＳ７０１０に進み、そうでなければＳ７００２に進む。
【００８６】
Ｓ７００２では閃光装置から通信された色情報補正値（Ｒ＿ＨＯＳＥＩ＿Ｓ、Ｇ＿ＨＯＳＥＩ＿Ｓ、Ｂ＿ＨＯＳＥＩ＿Ｓ））を選択する。つまりＲ＿ＨＯＳＥＩ＝Ｒ＿ＨＯＳＥＩ＿Ｓ、Ｇ＿ＨＯＳＥＩ＝Ｇ＿ＨＯＳＥＩ＿Ｓ、Ｂ＿ＨＯＳＥＩ＝Ｂ＿ＨＯＳＥＩ＿Ｓとなる。
【００８７】
Ｓ７０１０ではカメラの入力用ユーザインタフェース１５２により設定された色情報補正値（Ｒ＿ＨＯＳＥＩ＿Ｃ、Ｇ＿ＨＯＳＥＩ＿Ｃ、Ｂ＿ＨＯＳＥＩ＿Ｃ）を選択する。つまりＲ＿ＨＯＳＥＩ＝Ｒ＿ＨＯＳＥＩ＿Ｃ、Ｇ＿ＨＯＳＥＩ＝Ｇ＿ＨＯＳＥＩ＿Ｃ、Ｂ＿ＨＯＳＥＩ＝Ｂ＿ＨＯＳＥＩ＿Ｃとする。
【００８８】
Ｓ７００３で選択処理を終了する。
【００８９】
以上の様に閃光装置で色情報の補正がなされると、閃光装置から通信された色情報を選択しホワイトバランス処理を行なう。
【００９０】
また、図７Ｂに示したフローの様にカメラ側で色情報の補正がされる場合は、以下図７Ｂのフローを用いて説明を行なう。
【００９１】
Ｓ７１００でスタート、Ｓ７１０１ではカメラから通信された色情報補正値（Ｒ＿ＨＯＳＥＩ＿Ｓ、Ｇ＿ＨＯＳＥＩ＿Ｓ、Ｂ＿ＨＯＳＥＩ＿Ｓ）がすべて０（Ｒ＿ＨＯＳＥＩ＿Ｓ＝１．０かつＧ＿ＨＯＳＥＩ＿Ｓ＝１．０かつＢ＿ＨＯＳＥＩ＿Ｓ＝１．０）であればＳ７１１０に進み、そうでなければＳ７１０２に進む。
【００９２】
Ｓ７１０２ではカメラ装置から通信された色情報補正値（Ｒ＿ＨＯＳＥＩ＿Ｓ、Ｇ＿ＨＯＳＥＩ＿Ｓ、Ｂ＿ＨＯＳＥＩ＿Ｓ））を選択する。つまりＲ＿ＨＯＳＥＩ＝Ｒ＿ＨＯＳＥＩ＿Ｓ、Ｇ＿ＨＯＳＥＩ＝Ｇ＿ＨＯＳＥＩ＿Ｓ、Ｂ＿ＨＯＳＥＩ＝Ｂ＿ＨＯＳＥＩ＿Ｓとなる。
【００９３】
Ｓ７１１０では閃光装置の入力用ユーザインタフェース５２により設定された色情報補正値（Ｒ＿ＨＯＳＥＩ＿Ｃ、Ｇ＿ＨＯＳＥＩ＿Ｃ、Ｂ＿ＨＯＳＥＩ＿Ｃ）を選択する。つまりＲ＿ＨＯＳＥＩ＝Ｒ＿ＨＯＳＥＩ＿Ｃ、Ｇ＿ＨＯＳＥＩ＝Ｇ＿ＨＯＳＥＩ＿Ｃ、Ｂ＿ＨＯＳＥＩ＝Ｂ＿ＨＯＳＥＩ＿Ｃとする。
【００９４】
Ｓ７１０３で選択処理を終了する。
【００９５】
このように、カメラ側で設定された色情報を選択しホワイトバランス処理を行なう構成であっても構わない。
【００９６】
以上より、閃光装置側、カメラ側の両方で色情報の補正がなされても、閃光装置とカメラ側の両方において補正が行われるので、撮像画像が意図しない色味になることが防止できる。また、ここでは、カメラ側の入力用ユーザインタフェースによって設定することについて説明したが、カメラとＰＣを接続し、ＰＣから入力した閃光装置やレンズなどのカメラアクセサリに関する色情報をカメラに送信して、設定するようにしても良い。
【００９７】
（第５の実施の形態）
第５の実施形態における、ディジタルカメラ、閃光装置の構成は図１のブロック図と同じであり、基本動作は第２の実施形態と同様である。
【００９８】
差異を以下に説明する。入力用ユーザインタフェース１５２で色味確認再生モードが選択されると記憶メモリ１５０に記憶された画像を表示モニタ１５１で表示される。
【００９９】
記憶された画像は撮影時に閃光装置マイコン３１３より送信された色情報補正値の記憶と、色情報補正値の再設定により再度ディジタル信号処理回路１０５でホワイトバランスの画像処理が可能である。
【０１００】
次に、色味確認再生モードでの動作を図８のフローチャートに沿って説明する。
【０１０１】
Ｓ８０００でスタート。Ｓ８００１で閃光装置から色情報補正値を受信する。
【０１０２】
Ｓ８００２では撮影画像に記憶された色情報補正値と再度Ｓ８００１で通信した、色情報補正値に変化があるかを判定し、変化があればＳ８０１０に進み、変化が無ければＳ８００２に進む。
【０１０３】
Ｓ８０１０ではＳ８００１で通信された色情報補正値を用いて再度撮影画像のホワイトバランス処理をディジタル信号処理回路１０５にて行なう。
【０１０４】
Ｓ８００３では撮影画像の表示を表示モニタ１５１上に行なう。
【０１０５】
Ｓ８００４では入力用ユーザインタフェース１５２により色確認再生モードが終了とされたかを判定し終了であればＳ８００５に進み、そうでなければＳ８００１に進む。
【０１０６】
Ｓ８００５で色味確認再生処理を終了する。
【０１０７】
以上によりカメラアクセサリ特に閃光装置の色補正情報を視覚的に容易に確認することが可能となる。
【０１０８】
なおディジタルカメラ１００はディジタルビデオカメラであっても構わない。
【０１０９】
また、撮影者が色調整を行なうための入力用ユーザインタフェースは、閃光装置とレンズのそれぞれに付いている。両方が設定されている場合には、どちらの補正値を優先するか決定するようにしても良いし、閃光装置とレンズの各補正値（色情報）から新たな補正値を生成するようにしても良い。また、カメラ側で閃光装置あるいはレンズの色調整を設定する場合には、入力用インタフェースは１つで、どちらか一方の設定を行なうために切り換えられるようにしても良い。
【０１１０】
また、実施形態では、アクセサリに関する色情報と色情報の補正値をアクセサリのマイコン側からカメラに送信している構成を説明しているが、閃光装置の色情報はカメラ内に記憶してあり、撮影者が色調整として設定した色情報の補正値のみ送信する形式であっても構わない。
【０１１１】
なお、アクセサリ固有の色情報はアクセサリ側に保持し、固有の色情報とそれに対応して設定した補正値と送るように構成するとアクセサリのメモリの節約が出来、またデータの通信量も削減できて通信速度が向上する。
【０１１２】
また、レンズや閃光装置などのアクセサリは交換できる構成としてあるが、カメラと一体的な構成となっていてもよいし、別体で機械的に装着されていても良い。その際の色情報データや補正値の送受信方法は、内部の機械的な電気配線接続によって行なわれても良いし、赤外線などの無線通信による接続や、外付ケーブルで行なわれても良い。
【産業上の利用可能性】
【０１１３】
本発明は閃光装置、レンズ等のカメラに接続したアクセサリ、カメラ、ディジタルカメラ、及びスチル機能をもったビデオの色調整処理に関するものである。
【図面の簡単な説明】
【０１１４】
【図１】本発明の第１〜５の実施の形態のディジタルカメラ、レンズ、閃光装置の構成を表すブロック図である。
【図２】本発明第１の実施の形態における閃光装置の充電電圧と発光量ごとの色情報を表すグラフである。
【図３】第１の実施の形態における入力用インタフェース１５２の色情報調整の設定状態を表す図である。
【図４】Ａは、第２の実施の形態における赤外カットフィルタやローパスフィルタ等を含む撮像素子１０２の総合のＲ、Ｇ、Ｂ各色に対する分光感度である。Ｂは、第２の実施の形態における閃光装置３００の被写体に照射する分光特性である。Ｃは、第２の実施の形態における図４Ａと図４Ｂの分光特性の積である。
【図５】第２の実施の形態における閃光装置の入力用インタフェース３２０の色情報調整状態を表す図である。
【図６】第３の実施の形態におけるレンズの入力用インタフェース２０７色情報調整の状態を表す図である。
【図７】第４の実施形態に関するフローチャート
【図８】第５の実施形態に関するフローチャート
【符号の説明】
【０１１５】
１００  カメラ
１０１  カメラマイコン
１０５  ディジタル信号変換回路
２００  レンズ
２０１  レンズマイコン
３００  閃光装置
３０１  閃光装置マイコン
【図１】
2005109887.tif 000008
【図２】
2005109887.tif 000009
【図３】
2005109887.tif 000010
【図４】
2005109887.tif 000011
【図５】
2005109887.tif 000012
【図６】
2005109887.tif 000013
【図７】
2005109887.tif 000014
【図８】
2005109887.tif 000015